【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
各々が識別可能な複数種類の第１識別情報を変動表示する第１変動表示部と、各々が識別可能な複数種類の第２識別情報を変動表示する第２変動表示部とを備え、当該第１変動表示部または第２変動表示部に導出表示された識別情報の表示結果が予め定められた特定表示結果となったときに、遊技状態を通常遊技状態よりも遊技者にとって有利な特定遊技状態に制御する遊技機であって、
前記第１変動表示部および前記第２変動表示部のそれぞれで実行される変動表示について、前記特定遊技状態に制御するか否かを、前記識別情報の表示結果が導出表示される以前に決定する事前決定手段と、
該事前決定手段による決定に基づいて、前記第１識別情報および前記第２識別情報のそれぞれの変動表示を実行する変動表示実行手段と、
前記第１識別情報の変動表示および前記第２識別情報の変動表示のそれぞれに対応する演出表示を行なう演出表示部と、
前記事前決定手段による決定に基づいて、前記第１識別情報または前記第２識別情報の変動表示中において前記特定遊技状態に制御される可能性があることを報知する複数の予告演出のうちから実行する予告演出を決定する予告演出決定手段と、
該予告演出決定手段により決定された予告演出を実行する予告演出実行手段とを備え、
前記複数の予告演出のうち一の予告演出として、特定の予告演出があり、
前記予告演出決定手段は、
前記予告演出の態様に基づいて分類された複数種類の予告演出種別のうちいずれの予告演出種別に属する予告演出を実行するかを決定する予告種別決定手段と、
該予告種別決定手段により決定された予告演出種別に属する予告演出のうちから前記実行する予告演出を決定する予告決定手段とを含み、
前記予告種別決定手段は、前記第１識別情報の変動表示中に実行する予告演出が属する予告演出種別を決定する場合において前記複数種類の予告演出種別のうちから特定の予告演出が属する予告演出種別を決定する割合と、前記第２識別情報の変動表示中に実行する予告演出が属する予告演出種別を決定する場合において前記複数種類の予告演出種別のうちから前記特定の予告演出が属する予告演出種別を決定する割合とが異なるように設定された決定用データを用いて前記予告演出種別を決定することを特徴とする、遊技機。
【請求項２】
前記複数の予告演出種別には、前記予告演出が属する予告演出種別の他に予告演出を実行しないことを示す予告演出種別があり、
前記予告種別決定手段は、前記第１識別情報の変動表示中に実行する予告演出が属する予告演出種別を決定する場合において前記複数種類の予告演出種別のうちから前記予告演出を実行しないことを示す予告演出種別を決定する割合と、前記第２識別情報の変動表示中に実行する予告演出が属する予告演出種別を決定する場合において前記複数種類の予告演出種別のうちから前記予告演出を実行しないことを示す予告演出種別を決定する割合とが異なるように設定された決定用データを用いて前記予告演出種別を決定することを特徴とする、請求項１に記載の遊技機。
【請求項３】
所定条件が成立したときに、前記遊技状態を遊技者にとって有利な特定遊技状態とは異なる特別遊技状態に制御するものであり、
前記予告種別決定手段は、前記第１識別情報の変動表示中に実行する予告演出が属する予告演出種別を決定する場合において前記複数種類の予告演出種別のうちから前記予告演出を実行しないことを示す予告演出種別を決定する割合と、前記第２識別情報の変動表示中に実行する予告演出が属する予告演出種別を決定する場合において前記複数種類の予告演出種別のうちから前記予告演出を実行しないことを示す予告演出種別を決定する割合との少なくとも一方は、前記遊技状態が前記特別遊技状態か否かに応じて異なるように設定された決定用データを用いて前記予告演出種別を決定することを特徴とする、請求項２に記載の遊技機。
【請求項４】
前記予告種別決定手段は、前記第１識別情報の変動表示中に実行する予告演出が属する予告演出種別を決定する場合において前記複数種類の予告演出種別のうちから前記特定の予告演出が属する予告演出種別を決定する割合が所定割合設定され、前記第２識別情報の変動表示中に実行する予告演出が属する予告演出種別を決定する場合において前記複数種類の予告演出種別のうちから前記特定の予告演出が属する予告演出種別を決定する割合が零に設定された決定用データを用いて前記予告演出種別を決定することを特徴とする、請求項１から３のいずれかに記載の遊技機。
【請求項５】
前記複数の予告演出には、前記特定の予告演出とは同時に実行しない予告演出が含まれ、
前記予告種別決定手段は、予告演出種別を決定するときに、前記特定の予告演出が属する予告演出種別と、前記特定の予告演出とは同時に実行しない予告演出が属する予告演出種別とについて、排他的に予告演出種別を選択決定することを特徴とする、請求項１から４のいずれかに記載の遊技機。
【請求項６】
前記複数の予告演出には、前記特定の予告演出と同時に実行可能な予告演出が含まれ、
前記予告演出実行手段は、前記演出表示部において、前記特定の予告演出として表示される画像を、前記特定の予告演出と同時に実行可能な予告演出として表示される画像よりも優先して表示することを特徴とする、請求項１から５のいずれかに記載の遊技機。
【請求項７】
遊技媒体が流下可能な遊技領域へ遊技媒体を打込むことにより遊技が行なわれ、所定条件が成立したときに、前記遊技状態を遊技者にとって有利な特定遊技状態とは異なる特別遊技状態に制御するものであり、
前記遊技媒体が第１始動領域を通過したときに、前記特定遊技状態に制御するか否かを特定するための情報を所定の上限数の範囲内で保留記憶情報として記憶可能な第１保留記憶手段と、
前記遊技媒体が第２始動領域を通過したときに、前記特定遊技状態に制御するか否かを特定するための情報を所定の上限数の範囲内で保留記憶情報として記憶可能な第２保留記憶手段と、
前記遊技領域に設けられ、前記遊技媒体が進入可能な第３始動領域と、
前記第２始動領域に遊技球が進入しにくいまたは進入しない閉状態と前記第２始動領域に遊技球が進入可能な開状態とに変化可能であり、前記遊技領域に設けられた第３始動領域に遊技球が進入したことに基づいて当該開状態となることが可能な可変始動装置と、
前記遊技状態が前記特別遊技状態に制御されているときに前記通常遊技状態に
比べて前記可変始動装置により前記第２始動領域に遊技媒体が進入しやすくなる制御を行なう可変始動装置制御手段とを備え、
前記変動表示実行手段は、
前記特定遊技状態に制御されておらず、かつ、前記第１変動表示部において前記第１識別情報の変動表示が実行されていないときに前記第１保留記憶手段に記憶された保留記憶情報に基づいて前記第１変動表示部の変動表示を実行する第１変動表示開始手段と、
前記特定遊技状態に制御されておらず、かつ、第２変動表示部において前記識別情報の変動表示が実行されていないときに前記第２保留記憶手段に記憶された保留記憶情報に基づいて前記第２変動表示部の変動表示を実行する第２変動表示開始手段と、
前記第１および第２保留記憶手段に保留記憶情報が記憶されている場合は、前記第１保留記憶手段に記憶された保留記憶情報に基づいた前記第１変動表示部の変動表示よりも前記第２保留記憶手段に記憶された保留記憶情報に基づいた前記第２変動表示部の変動表示を優先して実行させる変動表示優先手段と、を備えたことを特徴とする、請求項１から６のいずれかに記載の遊技機。
【手続補正２】
【補正対象書類名】明細書
【補正対象項目名】００１０
【補正方法】変更
【補正の内容】
【００１０】
（１）  各々が識別可能な複数種類の第１識別情報（第１特別図柄）を変動表示する第１変動表示部（第１特別図柄表示器８ａ（または第２特別図柄表示器８ｂ））と、各々が識別可能な複数種類の第２識別情報（第２特別図柄表示器８ｂ）を変動表示する第２変動表示部（第２特別図柄表示器８ｂ（または第１特別図柄表示器８ａ））とを備え、当該第１変動表示部または第２変動表示部に導出表示された識別情報の表示結果が予め定められた特定表示結果（大当り表示結果）となったときに、遊技状態を通常遊技状態（通常遊技状態）よりも遊技者にとって有利な特定遊技状態（大当り遊技状態）に制御する遊技機（パチンコ遊技機１）であって、
前記第１変動表示部および前記第２変動表示部のそれぞれで実行される変動表示について、前記特定遊技状態に制御するか否かを、前記識別情報の表示結果が導出表示される以前に決定する事前決定手段（遊技制御用マイクロコンピュータ５６０、図２１のＳ６１）と、
該事前決定手段による決定に基づいて、前記第１識別情報および前記第２識別情報のそれぞれの変動表示を実行する変動表示実行手段（遊技制御用マイクロコンピュータ５６０、図１６のＳ３００〜Ｓ３０４）と、
前記第１識別情報の変動表示および前記第２識別情報の変動表示のそれぞれに対応する演出表示（演出図柄の変動表示）を行なう演出表示部（演出表示装置９）と、
前記事前決定手段による決定に基づいて、前記第１識別情報または前記第２識別情報の変動表示中において前記特定遊技状態に制御される可能性があることを報知する複数の予告演出（大当り予告）のうちから実行する予告演出を決定する予告演出決定手段（演出制御用マイクロコンピュータ１００、図６１のＳ６８１〜Ｓ６９９および図６２のＳ８４１〜Ｓ８４５）と、
該予告演出決定手段により決定された予告演出を実行する予告演出実行手段（演出制御用マイクロコンピュータ１００、図５８のＳ５１８〜Ｓ５２１および図６３のＳ８４１〜Ｓ８４５）とを備え、
前記複数の予告演出のうち一の予告演出として、特定の予告演出（図６４等に示す１ゲームミッション、ボタン予告、ステップアップ予告の予告のうち、１ゲームミッション等のいずれか特定の予告）があり、
前記予告演出決定手段は、
前記予告演出の態様に基づいて分類された複数種類の予告演出種別（図６４等に示す１ゲームミッション、ボタン予告、ステップアップ予告の予告種別）のうちいずれの予告演出種別に属する予告演出を実行するかを決定する予告種別決定手段（演出制御用マイクロコンピュータ１００、図６１のＳ６８１，Ｓ６８８）と、
該予告種別決定手段により決定された予告演出種別に属する予告演出（たとえば、図６９に示す１ゲームミッションの予告パターン）のうちから前記実行する予告演出を決定する予告決定手段（演出制御用マイクロコンピュータ１００、図６１のＳ６８９）とを含み、
前記予告種別決定手段は、前記第１識別情報の変動表示中に実行する予告演出が属する予告演出種別を決定する場合において前記複数種類の予告演出種別のうちから特定の予告演出が属する予告演出種別を決定する割合と、前記第２識別情報の変動表示中に実行する予告演出が属する予告演出種別を決定する場合において前記複数種類の予告演出種別のうちから前記特定の予告演出が属する予告演出種別を決定する割合とが異なるように設定された決定用データを用いて前記予告演出種別を決定する（図６３および図６５に示す第１特別図柄の予告種別決定用テーブル１Ａおよび１Ｂと、図６４および図６６に示す第２特別図柄の予告種別決定用テーブル２Ａおよび２Ｂとでは、１ゲームミッション等の予告種別を選択する乱数値ＳＲ８の割振りが異なり、予告種別を決定する割合が異なる）。